(57)【要約】【課題】カメラ単体で置き忘れを検知することが可能な撮像装置を提供する。【解決手段】被写体像を撮像する撮像部と、撮像装置が静止状態か否かを判断する判断部と、撮像部により撮像された画像から、予め登録されたユーザの画像を検出する検出部と、判断部により撮像装置が静止状態と判断され、且つ検出部により最後にユーザの画像が検出されてから所定の時間が経過した場合に、撮像装置に特定の動作を行わせる制御部とを備える。【選択図】  図３
2020161960.tif 000002
【特許請求の範囲】
【請求項１】
被写体像を撮像する撮像手段と、
撮像装置が静止状態か否かを判断する判断手段と、
前記撮像手段により撮像された画像から、予め登録されたユーザの画像を検出する検出手段と、
前記判断手段により前記撮像装置が静止状態と判断され、且つ前記検出手段により最後にユーザの画像が検出されてから所定の時間が経過した場合に、前記撮像装置に特定の動作を行わせる制御手段と、
を備えることを特徴とする撮像装置。
【請求項２】
前記制御手段は、前記所定の時間が経過するまでは、前記撮像手段に、一定の時間間隔で撮像を行わせることを特徴とする請求項１に記載の撮像装置。
【請求項３】
前記判断手段は、加速度センサにより前記撮像装置が静止状態か否かを検出することを特徴とする請求項１または２に記載の撮像装置。
【請求項４】
前記検出手段は、前記撮像された画像から、予め登録されたユーザの顔の画像を検出することを特徴とする請求項１乃至３のいずれか１項に記載の撮像装置。
【請求項５】
ユーザの顔の画像を登録する登録手段をさらに備えることを特徴とする請求項４に記載の撮像装置。
【請求項６】
前記登録手段は、前記撮像手段により撮像されたユーザの顔の画像を登録することを特徴とする請求項５に記載の撮像装置。
【請求項７】
前記特定の動作は、ユーザを探索する動作であることを特徴とする請求項１乃至６のいずれか１項に記載の撮像装置。
【請求項８】
前記制御手段は、撮影可能領域において、前記撮像手段の向きを変えることにより、ユーザを探索することを特徴とする請求項７に記載の撮像装置。
【請求項９】
前記制御手段は、広角レンズで撮像を行うことにより、ユーザを探索することを特徴とする請求項７に記載の撮像装置。
【請求項１０】
前記制御手段は、ユーザを探索する動作によりユーザが発見されなかった場合に、携帯電話に通知する通知手段をさらに備えることを特徴とする請求項７乃至９のいずれか１項に記載の撮像装置。
【請求項１１】
前記特定の動作は、ユーザを探索する動作であり、前記制御手段は、ユーザを探索する動作によりユーザが発見された場合に、前記一定の時間間隔での撮像を継続することを特徴とする請求項２に記載の撮像装置。
【請求項１２】
撮影シーンを判別する判別手段をさらに備え、前記制御手段は、撮影シーンに応じて、ユーザを発見したと判断する条件を異ならせることを特徴とする請求項７乃至１０のいずれか１項に記載の撮像装置。
【請求項１３】
撮影シーンを判別する判別手段をさらに備え、前記制御手段は、撮影シーンに応じて、前記所定の時間を異ならせることを特徴とする請求項１に記載の撮像装置。
【請求項１４】
被写体像を撮像する撮像手段を備える撮像装置を制御する方法であって、
撮像装置が静止状態か否かを判断する判断工程と、
前記撮像手段により撮像された画像から、予め登録されたユーザの画像を検出する検出工程と、
前記判断工程において前記撮像装置が静止状態と判断され、且つ前記検出工程において最後にユーザの画像が検出されてから所定の時間が経過した場合に、前記撮像装置に特定の動作を行わせる制御工程と、
を有することを特徴とする撮像装置の制御方法。
【請求項１５】
請求項１４に記載の制御方法の各工程をコンピュータに実行させるためのプログラム。
【請求項１６】
請求項１４に記載の制御方法の各工程をコンピュータに実行させるためのプログラムを記憶したコンピュータが読み取り可能な記憶媒体。
【発明の詳細な説明】
【技術分野】
【０００１】
本発明は、デジタルカメラ等の撮像装置及びその制御方法に関する。
【背景技術】
【０００２】
近年、ユーザが撮影指示を与えることなく定期的および継続的に撮影を行う自動撮影カメラが開発され、実用化が進んでいる。例えばストラップ等でユーザの身体に装着された状態で用いられ、ユーザが日常生活で目にする光景を一定時間間隔で映像として記録するライフログカメラと呼ばれるカメラが知られている。また、笑顔や人の顔、犬や猫、急な動きなどを認識してシャッターを切る自動撮影カメラなども知られている。
【０００３】
これらの自動撮影カメラは、結婚式などの屋内イベントの撮影のほか、スポーツイベントなどの屋外イベントの撮影にも使用され、その場合には自動カメラを任意の場所に設置して撮影することが想定される。このように自動撮影カメラを設置して使用した場合には、ユーザがカメラを設置したことを忘れ、カメラをその場に置き忘れてしまうことが考えられる。
【０００４】
このような問題を解決する技術として、特許文献１には、カメラの存否を確認するためにカメラと無線交信するための専用の機器を持ち、無線交信を定期的に行い、一定時間以上無線交信を受信しない場合に特定の動作をカメラに行わせる技術が開示されている。
【先行技術文献】
【特許文献】
【０００５】
【特許文献１】特開２００２−１６５２７１号公報
【発明の概要】
【発明が解決しようとする課題】
【０００６】
しかしながら、特許文献１の技術を採用する場合には、カメラとの無線交信を行う専用機器が必要になるため、カメラ単体では置き忘れを検知できず、ユーザは専用機器を別途持っている必要がある。また、例えばこの専用機器の電源が失われて無線交信ができなくなってしまった場合には、誤って置き忘れと判断されてしまうことが考えられる。
【０００７】
本発明は上述した課題に鑑みてなされたものであり、その目的は、カメラ単体で置き忘れを検知することが可能な撮像装置を提供することである。
【課題を解決するための手段】
【０００８】
本発明に係わる撮像装置は、被写体像を撮像する撮像手段と、撮像装置が静止状態か否かを判断する判断手段と、前記撮像手段により撮像された画像から、予め登録されたユーザの画像を検出する検出手段と、前記判断手段により前記撮像装置が静止状態と判断され、且つ前記検出手段により最後にユーザの画像が検出されてから所定の時間が経過した場合に、前記撮像装置に特定の動作を行わせる制御手段と、を備えることを特徴とする。
【発明の効果】
【０００９】
本発明によれば、カメラ単体で置き忘れを検知することが可能となる。
【図面の簡単な説明】
【００１０】
【図１】本発明の撮像装置の第１の実施形態であるカメラの外観を模式的に示す図。
【図２】第１の実施形態における回転軸の定義を説明するための図。
【図３】第１の実施形態におけるカメラのブロック構成を示す図。
【図４】第１の実施形態におけるカメラの動作を示すフローチャート。
【図５】第１の実施形態における置き忘れ検出処理の動作を示すフローチャート。
【図６】第２の実施形態におけるカメラのブロック構成を示す図。
【図７】第２の実施形態におけるカメラの動作を示すフローチャート。
【図８】第２の実施形態におけるシーンに応じた置き忘れ判断条件決定処理の動作を示すフローチャート。
【発明を実施するための形態】
【００１１】
以下、添付図面を参照して実施形態を詳しく説明する。なお、以下の実施形態は特許請求の範囲に係る発明を限定するものではない。実施形態には複数の特徴が記載されているが、これらの複数の特徴の全てが発明に必須のものとは限らず、また、複数の特徴は任意に組み合わせられてもよい。さらに、添付図面においては、同一若しくは同様の構成に同一の参照番号を付し、重複した説明は省略する。
【００１２】
（第１の実施形態）
図１は、本発明の撮像装置の第１の実施形態であるカメラ１００の外観を模式的に示す図である。カメラ１００は、鏡筒１０１、チルト回転ユニット１０２、パン回転ユニット１０３、制御ボックス１０４を備えて構成される。
【００１３】
鏡筒１０１は、被写体像を結像させる撮影光学系としての撮影レンズ群や撮像素子を含み、固定部である制御ボックス１０４に対して、撮影の向きを変更可能に取り付けられている。具体的には、鏡筒１０１は、制御ボックス１０４に対して回転駆動できる機構であるチルト回転ユニット１０２と、パン回転ユニット１０３とを介して、制御ボックス１０４に取り付けられている。
【００１４】
チルト回転ユニット１０２は、鏡筒１０１を後述する図２に示すピッチ方向に回転できるモータ駆動機構を備えている。また、パン回転ユニット１０３は、鏡筒１０１を後述する図２に示すヨー方向に回転できるモータ駆動機構を備えている。
【００１５】
制御ボックス１０４は、鏡筒１０１に含まれる撮影レンズ群、チルト回転ユニット１０２、パン回転ユニット１０３を制御するための制御マイコン、不揮発性メモリなどの記録媒体、動きを検知する加速度センサなどを備えている。各ブロックの処理の詳細は、図３を用いて後述する。
【００１６】
図２は、第１の実施形態における回転軸の定義を説明するための図である。
【００１７】
水平の軸(Ｘ軸)まわりの回転をピッチ、垂直の軸(Ｙ軸)まわりの回転をヨー、奥行き方向の軸(Ｚ軸)まわりの回転をロールと呼ぶ。本実施形態におけるカメラ１００では、チルト回転ユニット１０２により鏡筒１０１の向きをピッチ方向に回動させ、パン回転ユニット１０３によりヨー方向に回動させる。
【００１８】
図３は、鏡筒１０１、チルト回転ユニット１０２、パン回転ユニット１０３、制御ボックス１０４を備えるカメラ１００のブロック構成を示す図である。
【００１９】
鏡筒１０１は、レンズユニット３０１および撮像部３０２を備えて構成され、チルト回転ユニット１０２、パン回転ユニット１０３によって、チルト方向、パン方向に回転駆動制御される。レンズユニット３０１は、変倍を行うズームレンズやピント調整を行う焦点調節レンズなどで構成され、レンズ駆動部３０５によって駆動制御される。撮像部３０２は、各レンズ群を通して入射する光を受ける撮像素子を備え、撮像素子が受光量に応じて出力する信号をＡ／Ｄ変換し、デジタル画像データとして画像処理部３０３に出力する。
【００２０】
チルト回転ユニット１０２は、前述した図２のピッチ方向に鏡筒１０１を回転させるモータ駆動機構を備え、パン回転ユニット１０３は、ヨー方向に鏡筒１０１を回転させるモータ駆動機構を備える。そして、鏡筒回転駆動部３０６からの駆動指示に応じて鏡筒１０１を回転動作させる。
【００２１】
制御ボックス１０４は、画像処理部３０３、画像記録部３０４、レンズ駆動部３０５、鏡筒回転駆動部３０６、駆動制御部３０７、構図決定部３０８、顔検出部３０９、顔情報登録部３１０、顔判断部３１１、メモリ３１２、動き検出部３１３、静止状態判断部３１４、置き忘れ判断部３１５、タイマー３１６、無線通信部３１７、ＣＰＵ３２０、メモリ３２１を備えて構成される。なお、制御マイコンであるＣＰＵ３２０は、制御ボックス１０４内に配置されている各ブロックを制御する。あるいは、各ブロックは、ＣＰＵ３２０自体がそのブロックの機能を果たすことにより実現される。また、後述するカメラ１００の動作は、ＣＰＵ３２０がメモリ３２１に記憶されたプログラムを実行することにより実現される。各部の詳細について、以下に説明する。
【００２２】
画像処理部３０３は、撮像部３０２から出力されたデジタル画像データに対して、歪曲補正、ホワイトバランス調整、色補間処理等の画像処理を適用し、適用後のデジタル画像データを画像記録部３０４および顔検出部３０９に出力する。画像記録部３０４は、画像処理部３０３から出力されたデジタル画像データをＪＰＥＧ形式等の記録用フォーマットに変換し、不揮発性メモリなどの記録媒体に記録する。
【００２３】
レンズ駆動部３０５は、レンズユニット３０１に含まれるズームレンズや焦点調節レンズを駆動するためのモータとドライバ部とを備える。そして、駆動制御部３０７から入力される目標位置と駆動速度とに基づいて各レンズを駆動させる。鏡筒回転駆動部３０６は、駆動制御部３０７から入力される目標位置と駆動速度とに基づいて、チルト回転ユニット１０２およびパン回転ユニット１０３に駆動指示を出力し、鏡筒１０１をチルト方向とパン方向に駆動させる。
【００２４】
駆動制御部３０７は、構図決定部３０８から入力される倍率情報および位置情報に基づいて、レンズ駆動および鏡筒回転駆動を行うための目標位置と駆動速度とを決定する。そして、決定したパラメータをそれぞれレンズ駆動部３０５、鏡筒回転駆動部３０６に出力する。また、駆動制御部３０７は置き忘れ判断部３１５からの周囲探索指示を受けた場合、上記の構図決定部３０８からの情報に基づく制御を停止し、周囲探索動作のための制御を行う。周囲探索動作のための制御として、駆動制御部３０７は、撮影可能領域を全てカバーするようにチルト回転ユニット１０２とパン回転ユニット１０３を順次駆動するための目標位置と駆動速度のパラメータを鏡筒回転駆動部３０６に出力する。周囲探索が完了すると、駆動制御部３０７は、置き忘れ判断部３１５に周囲探索完了情報を出力する。なお、周囲探索中に置き忘れ判断部３１５から周囲探索停止指示が入力された場合には、上記の周囲探索動作のための制御を停止し、構図決定部３０８からの情報に基づく制御に戻る。
【００２５】
構図決定部３０８は、顔検出部３０９から入力される顔の位置情報に基づいて、好ましい構図を決定する。決定した構図にするための倍率情報および位置情報を駆動制御部３０７に出力する。
【００２６】
顔検出部３０９は、画像処理部３０３から入力されるデジタル画像データの顔領域の部分から被写体の顔の特徴情報（検出された顔の大きさ、目、鼻、口等の特徴点の位置関係など）を抽出する。また顔検出部３０９は、抽出した特徴情報を顔情報登録部３１０および顔判断部３１１に出力すると共に、顔の位置情報を構図決定部３０８に出力する。
【００２７】
顔情報登録部３１０は、持ち主が登録されていない場合に、顔検出部３０９により検出された人物と、その人物の顔の特徴情報を関連付けてメモリ３１２に登録する。
【００２８】
顔判断部３１１は、顔検出部３０９で検出した顔の特徴情報と、メモリ３１２に格納されている顔の特徴情報を比較することにより、登録されている人物の顔であるか否かを判断する。登録されている人物の顔であると判断した場合には、置き忘れ判断部３１５に登録顔検出情報を出力する。
【００２９】
メモリ３１２は、顔情報登録部３１０から入力される顔検出部３０９により検出された人物と、その人物の顔の特徴情報を記録する。記録された情報は顔判断部３１１によって読み出される。
【００３０】
動き検出部３１３は、加速度センサなどによって動き、振動、衝撃などを検出して得られたデータを、動き情報として静止状態判断部３１４に出力する。静止状態判断部３１４は、動き検出部３１３から得られる動き情報に基づいて、静止状態か否かを判断し、判断結果を置き忘れ判断部３１５へ出力する。
【００３１】
置き忘れ判断部３１５は、静止状態判断部３１４から入力される静止状態判断結果が静止状態である場合に、顔判断部３１１から登録顔検出情報が入力されてからの経過時間をタイマー３１６を用いて測定する。測定時間が所定時間経過した場合、置き忘れ判断部３１５は、駆動制御部３０７に周囲探索指示を出力し、駆動制御部３０７から周囲探索完了情報を受け取ると、無線通信部３１７に置き忘れ情報を出力する。なお、駆動制御部３０７が周囲探索中に顔判断部３１１から登録顔検出情報が入力された場合には、置き忘れ判断部３１５は駆動制御部３０７に周囲探索停止指示を出力する。
【００３２】
タイマー３１６は、置き忘れ判断部３１５からの指示に基づいて、顔登録した人物の顔が最後に検出されてからの経過時間を測定するために用いられる。
【００３３】
無線通信部３１７は、携帯電話との通信に用いられる周波数での遠距離無線通信を行う機能を有しており、置き忘れ判断部３１５から置き忘れ情報が入力されると、無線通信によって携帯電話に置き忘れの通知を行う。
【００３４】
図４は、本実施形態におけるカメラ１００の動作を示すフローチャートである。
【００３５】
このフローチャートの処理はカメラの主電源がオンされることによりスタートされ、最初に、Ｓ４０１において、持ち主の登録状態の確認を行う。持ち主が登録されている場合には、Ｓ４０３に進む。持ち主が登録されていない場合には、Ｓ４０２において、顔検出部３０９によって検出された１名の人物と、その人物の顔の特徴情報を関連付けて、顔情報登録部３１０がメモリ３１２に顔情報を登録する。その後、Ｓ４０３に進む。なお、本実施形態における持ち主の登録処理は最初に登録する１名の人物を持ち主として登録する例を示したが、登録する持ち主の人数は複数でもよく、また登録の方法も操作ボタンやその他のＵＩ操作によって行う構成でもよい。
【００３６】
Ｓ４０３では、初期化処理が行われる。具体的には、パン／チルトの初期位置への移動処理や、後述の置き忘れ検出処理で用いる置き忘れと判断するための持ち主の未検出状態の継続時間をタイマーに設定する処理などを行う。
【００３７】
Ｓ４０４では自動撮影処理を行い、Ｓ４０５では置き忘れ検出処理を行う。Ｓ４０５での置き忘れ検出処理の詳細については図５を用いて後述する。Ｓ４０６では、主電源がＯＮされているか否かが検出され、ＯＮされている場合は、Ｓ４０４に戻り、Ｓ４０４の自動撮影処理とＳ４０５の置き忘れ検出処理を繰り返す。Ｓ４０４の自動撮影処理とＳ４０５の置き忘れ検出処理は、例えば一定の時間間隔で繰り返される。Ｓ４０６で主電源がＯＮされていない場合は、このフローチャートの処理を終了する。
【００３８】
なお、Ｓ４０４の自動撮影処理では、カメラ１００は公知の技術である自動撮影機能を用いて、例えばパン／チルトを駆動して被写体自動探索を行い、被写体が検出されたら被写体の位置に応じた好ましい構図を決定して自動撮影を行う。
【００３９】
図５は、本実施形態における置き忘れ検出処理の動作を示すフローチャートである。
【００４０】
最初に、Ｓ５０１において、静止状態判断部３１４は、動き検出部３１３から入力される動き情報に基づいて、カメラ１００が静止状態か否かを判断して、結果を置き忘れ判断部３１５に通知する。静止状態である場合にはＳ５０２に進み、静止状態でない場合には、Ｓ５０７において、置き忘れ判断部３１５は、置き忘れと判断する持ち主の未検出状態の継続時間をタイマーに再設定して処理を終了する。
【００４１】
Ｓ５０２では、置き忘れ判断部３１５は、顔判断部３１１から入力される登録顔検出情報に基づいて、持ち主登録された人物が検出されていないかを確認する。持ち主登録された人物が検出されている場合には、Ｓ５０７において、タイマーを再設定して処理を終了する。
【００４２】
一方、Ｓ５０２において、持ち主登録された人物が検出（発見）されていない場合には、Ｓ５０３において、タイマーに設定した時間が経過しているか否かを確認する。タイマーに設定した時間が経過していない場合には処理を終了する。タイマーに設定した時間が経過している場合には、Ｓ５０４において、置き忘れ判断部３１５は、駆動制御部３０７に対して周囲探索指示を出力する。周囲探索指示を受けた駆動制御部３０７は、鏡筒回転駆動部３０６を通じてチルト回転ユニット１０２およびパン回転ユニット１０３を駆動し、周囲の探索を行う。
【００４３】
Ｓ５０５では、置き忘れ判断部３１５は、Ｓ５０４で行われた探索により持ち主が検出されたか否かを確認する。持ち主が検出された場合には、Ｓ５０７において、タイマーを再設定して処理を終了する。持ち主が検出されなかった場合には、置き忘れ判断部３１５は、無線通信部３１７に置き忘れ情報を出力して、持ち主の携帯電話に置き忘れを通知するよう指示する。
【００４４】
なお、本実施形態においては、登録された持ち主を探索する方法として、鏡筒部分を回転駆動することにより周囲を探索する例を示したが、駆動部を持たない広角レンズで見渡せる範囲を探索する、全方位カメラで探索するなどの方法を用いてもよい。
【００４５】
以上説明したように、本実施形態によれば、カメラ１００が登録された持ち主の所在を確認することによって、カメラ１００が置き忘れられていることを自ら判断することが可能となる。
【００４６】
（第２の実施形態）
以下、本発明の第２の実施形態について説明する。この第２の実施形態においては、カメラの構成は、制御ボックス内に撮影シーン判別ブロックが追加されていること以外は第１の実施形態の構成と同じであるため、主に第１の実施形態と異なる部分について説明する。
【００４７】
図６は、第２の実施形態のカメラ６００のブロック構成を示す図である。
【００４８】
図６において、カメラ６００は、鏡筒１０１、チルト回転ユニット１０２、パン回転ユニット１０３、制御ボックス６０４を備えて構成される。第１の実施形態と機能の異なる制御ボックス６０４以外は第１の実施形態と同じ構成であるため、同一部分には同じ符号をつけて説明を省略する。
【００４９】
制御ボックス６０４は、画像処理部６０３、画像記録部３０４、レンズ駆動部３０５、鏡筒回転駆動部３０６、駆動制御部３０７、構図決定部３０８、顔検出部３０９、顔情報登録部３１０、顔判断部６１１、メモリ３１２、動き検出部３１３、静止状態判断部３１４、置き忘れ判断部６１５、タイマー３１６、無線通信部３１７、ＣＰＵ３２０、メモリ３２１、撮影シーン判別部６１８を備えて構成される。第１の実施形態と機能の異なる画像処理部６０３、顔判断部６１１、置き忘れ判断部６１５、撮影シーン判別部６１８以外は第１の実施形態と同じ構成であるため、同一部分には同じ符号をつけて説明を省略する。
【００５０】
画像処理部６０３は、撮像部３０２から出力されたデジタル画像データに対して、歪曲補正、ホワイトバランス調整、色補間処理等の画像処理を適用し、適用後のデジタル画像データを画像記録部３０４および顔検出部３０９に出力する。また、画像処理部６０３は、ホワイトバランス補正値を撮影シーン判別部６１８に出力する。
【００５１】
顔判断部６１１は、撮影シーン判別部６１８から入力される撮影シーン情報に応じて顔一致判断条件を決定する。また、顔判断部６１１は、顔検出部３０９で検出した顔の特徴情報とメモリ３１２に格納されている顔の特徴情報を比較して、決定した顔一致判断条件に基づいて、登録されている人物の顔であるか否かを判断する。登録されている人物の顔であると判断した場合には、置き忘れ判断部６１５に登録顔検出情報を出力する。なお、撮影シーン情報に応じた顔一致判断条件の決定方法については、図８を用いて後述する。
【００５２】
置き忘れ判断部６１５は、静止状態判断部３１４から入力される静止状態判断結果が静止状態である場合に、顔判断部６１１から登録顔検出情報が入力されてからの経過時間をタイマー３１６を用いて測定する。また、置き忘れ判断部６１５は、撮影シーン判別部６１８から入力される撮影シーン情報に応じて、置き忘れ判断時間を決定し、決定した置き忘れ判断時間が経過した場合、駆動制御部３０７に周囲探索指示を出力する。そして、駆動制御部３０７から周囲探索完了情報を受け取ると、無線通信部３１７に置き忘れ情報を出力する。なお、駆動制御部３０７が周囲探索中に顔判断部３１１から登録顔検出情報が入力された場合には、置き忘れ判断部６１５は駆動制御部３０７に周囲探索停止指示を出力する。なお、撮影シーン情報に応じた置き忘れ判断時間の決定方法については、図８を用いて後述する。
【００５３】
撮影シーン判別部６１８は、画像処理部６０３から入力されるホワイトバランス補正値に基づいて撮影シーンを判別し、判別結果を顔判断部６１１および置き忘れ判断部６１５に出力する。
【００５４】
図７は、本実施形態におけるカメラ６００の動作を示すフローチャートである。ここで、本フローチャートは、Ｓ４０３の初期化処理の後にシーンに応じた置き忘れ判断条件決定処理（Ｓ７０７）が追加される以外は、図４で説明した第１の実施形態におけるカメラ１００の動作を示すフローチャートと同じである。そのため、Ｓ７０７以外の処理には、第１の実施形態と同じ符号をつけて説明は省略する。また、Ｓ７０７のシーンに応じた置き忘れ判断条件決定処理については、図８を用いて説明する。
【００５５】
図８は、本実施形態におけるシーンに応じた置き忘れ判断条件決定処理の動作を示すフローチャートである。
【００５６】
Ｓ８０１において、撮影シーン判別部６１８は画像処理部６０３から入力されるホワイトバランス補正値に基づいて、撮影シーンを判別する。
【００５７】
Ｓ８０２では、撮影シーン判別部６１８は、撮影シーンが屋内での撮影か屋外での撮影かを確認する。屋内での撮影の場合には、撮影シーン判別部６１８は、Ｓ８０３において顔一致判断条件を「８０％以上一致」、Ｓ８０４において置き忘れ判断時間を「６０分」と決定する。そして、決定したこれらの条件を顔判断部６１１、置き忘れ判断部６１５に通知する。
【００５８】
屋外での撮影の場合には、撮影シーン判別部６１８は、Ｓ８０５において顔一致判断条件を「５０％以上一致」、Ｓ８０６において置き忘れ判断時間を「１２０分」と決定する。そして、決定したこれらの条件を顔判断部６１１、置き忘れ判断部６１５に通知する。
【００５９】
決定した上記２つの条件は、図６で説明した通り、顔判断部６１１が顔一致を判断する際、および置き忘れ判断部６１５が置き忘れを判断する際に、それぞれ使用される。
【００６０】
なお、本実施形態では、屋内での撮影時には屋外での撮影に比べ、一般に持ち主が映る時間が長く、顔の検出条件も良好であるため、上記の条件を例として示したが、他の観点で条件を変更してもよい。またシーン判別の種類として屋内と屋外を例として示したが、例えばスポーツの種類や、室内のイベントの種類に応じて条件を変更してもよい。
【００６１】
以上説明したように、本実施形態によれば、カメラ６００が撮影シーンに応じた条件で、登録された持ち主の所在を確認することによって、カメラ６００が置き忘れられていることをカメラが自ら判断することが可能となる。
【００６２】
（他の実施形態）
また本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読み出し実行する処理でも実現できる。また、１以上の機能を実現する回路（例えば、ＡＳＩＣ）によっても実現できる。
【００６３】
発明は上記実施形態に制限されるものではなく、発明の精神及び範囲から離脱することなく、様々な変更及び変形が可能である。従って、発明の範囲を公にするために請求項を添付する。
【符号の説明】
【００６４】
１００：カメラ、１０１：鏡筒、１０２：チルト回転ユニット、１０３：パン回転ユニット、１０４：制御ボックス、３０２：撮像部、３０９：顔検出部、３１０：顔情報登録部、３１１：顔判断部、３１３：動き検出部、３１４：静止状態判断部、３１５：置き忘れ判断部、３１６：タイマー、３２０：ＣＰＵ
【図１】
2020161960.tif 000003
【図２】
2020161960.tif 000004
【図３】
2020161960.tif 000005
【図４】
2020161960.tif 000006
【図５】
2020161960.tif 000007
【図６】
2020161960.tif 000008
【図７】
2020161960.tif 000009
【図８】
2020161960.tif 000010